(57)【要約】【課題】車両走行状態の変化に適応した形態の表示が行われる再生装置を提供する。【解決手段】再生装置は、複数の静止画像データを所定の再生順序で再生する再生部１７と、再生部１７によって再生された静止画像データに対応する静止画像情報を再生順序に基づいて出力する出力制御部１８と、を備える。出力制御部１８は、車両が走行しているときに、静止画像情報の表示部１への出力を停止し、車両が走行している状態から停止している状態に変化したときに、当該出力の停止直前に出力されていた静止画像情報の表示部１への出力を再開する。【選択図】図１
2012235271.tif 000002
【特許請求の範囲】
【請求項１】
車両に搭載される再生装置であって、
複数の静止画像データを所定の再生順序で再生する再生部と、
前記再生部によって再生された静止画像データに対応する静止画像情報を前記再生順序に基づいて出力する出力制御部と、
を備え、
前記出力制御部は、前記車両が走行しているときに、前記静止画像情報の表示部への出力を停止し、前記車両が走行している状態から停止している状態に変化したときに、当該出力の停止直前に出力されていた静止画像情報の表示部への出力を再開することを特徴とする再生装置。
【請求項２】
前記出力制御部は、出力している前記静止画像情報を切り替える切替処理中に、前記静止画像情報の表示部への出力が停止された場合、前記再生順序に基づき、当該出力の停止直前に出力されていた静止画像情報の次の順番の静止画像情報を表示部への出力する請求項１に記載の再生装置。
【発明の詳細な説明】
【技術分野】
【０００１】
本発明は、車両に搭載され、複数の静止画像データを所定の順序で又はランダム（無作為）に順次再生する再生装置に関する。
【背景技術】
【０００２】
動画像データを再生可能な車両に搭載される再生装置（例えば、ナビゲーション装置、ディプレイ付きオーディオ装置等）では、運転者が運転に集中できるようにするために、動画像データを再生することによって得られる映像情報を、車両が走行しているときには出力せず、走行していないときに出力するように制御している（例えば、特許文献１）。
【０００３】
また、このように制御すると、車両が走行している状態と走行していない状態の繰り返しによって映像情報の出力が断片的になり、利用者にとって映像情報の内容が分かりづらいものとなってしまうのを防止するために、車両が走行しているときには映像情報は出力しないが、音声情報は継続して出力するようにしている。
【先行技術文献】
【特許文献】
【０００４】
【特許文献１】特開２００３−２４４５９１号公報
【発明の概要】
【発明が解決しようとする課題】
【０００５】
デジタルカメラ等で撮影された静止画像データを再生可能な再生装置においては、複数の静止画像データを所定の順序で又はランダムに順次再生し、静止画像情報を出力すること（スライドショー再生）が行われている。なお、以降、複数の静止画像データを所定の順序で順次再生したり、ランダム（無作為）に順次再生したりして出力することをスライドショー再生と表記する。
【０００６】
スライドショー再生で再生される静止画像データは、音声データと関連付けられていないことから、車両が走行しているときは、映像情報は出力せずに音声情報のみを継続して出力するといった動画像データの再生の場合と同様の制御は行われない。すなわち、利用者は、車両が走行している間は、静止画像情報が出力されないため、画像情報の内容を確認することができない上に、前回出力されていた静止画像データの再生からどれだけ先の静止画像データの再生まで進んでしまったかを知ることができないため、前回出力されていた静止画像データの再生位置まで戻す操作を簡単には行うことができず、ユーザに煩雑な操作を要求するといった問題があった。
【０００７】
本発明の目的は、車両走行状態の変化に適応した形態の表示が行われる再生装置を提供することである。
【課題を解決するための手段】
【０００８】
本発明による再生装置は、車両に搭載される再生装置であって、複数の静止画像データを所定の再生順序で再生する再生部と、再生部によって再生された静止画像データに対応する静止画像情報を再生順序に基づいて出力する出力制御部と、を備え、出力制御部は、前記車両が走行しているときに、前記静止画像情報の表示部への出力を停止し、前記車両が走行している状態から停止している状態に変化したときに、当該出力の停止直前に出力されていた静止画像情報の表示部への出力を再開することを特徴とする。
【発明の効果】
【０００９】
本発明によれば、車両の走行状態に基づいて静止画像データの再生を停止し、再度、静止画像データを再生する際には、停止した時点の状態から静止画像データの再生を再開するので、利用者にとって使いやすいスライドショー再生の機能を備えた再生装置を提供することができる。
【図面の簡単な説明】
【００１０】
【図１】本発明の一実施形態における再生装置の概略構成を示すブロック図である。
【図２】複数の静止画像情報の出力形式を設定するための表示部に設定画面の一例を示す図である。
【図３】記録媒体のフォルダの構成の一例を示す図である。
【図４】静止画像情報を所定の順序で出力する例を示す図である。
【図５】静止画像情報をランダムに出力する例を示す図である。
【図６】静止画像情報の出力の一例を示す図である。
【図７】静止画像情報を出力する他の例を示す図である。
【図８】「フォト再生」スイッチの表示の変更の一例を示す図である。
【図９】車両の走行状態に応じたオーディオ設定画面の変更を示す図である。
【図１０】フォト再生スイッチのインジケータの点灯状態及び消灯状態の一例を説明するための図である。
【図１１】フォト再生スイッチのインジケータの点灯状態及び消灯状態の遷移状態の一例を説明するための図である。
【図１２】再生装置の処理フローを示す図である。
【図１３】再生装置の処理フローを示す図である。
【図１４】静止画像情報を所定の順序で出力する場合において表示時間中に静止画像情報の出力を停止した場合を説明するための図である。
【図１５】静止画像情報をランダムに表示する場合において表示時間中に静止画像情報の出力を停止した場合を説明するための図である。
【図１６】静止画像情報を所定の順序で出力する場合において切替時間中に静止画像情報の出力を停止した場合を説明するための図である。
【図１７】後席ディスプレイ接続の項目の「あり」スイッチが選択された条件の下で、静止画像情報をランダムに表示する場合において、切替時間中に静止画像情報の出力を停止した場合を説明するための図である。
【発明を実施するための形態】
【００１１】
以下図面を参照して、本発明における再生装置の一実施形態について説明する。本発明の技術的範囲はそれらの実施の形態に限定されず、特許請求の範囲に記載された発明とその均等物に及ぶ点に留意されたい。
【００１２】
図１は、本発明の一実施形態における再生装置の概略構成を示すブロック図である。図１に示す再生装置は、カーナビゲーション装置、ディスプレイ付きオーディオ装置等のように車両に搭載され、車両の前席に配置される表示部１と、ユーザ（例えば、運転者、同乗者等）が操作を行う際に使用するハードスイッチ等で構成される操作部２と、表示部１への画像情報の出力を制御する前席制御ユニット３と、車両の速度を検出するための車速パルスを発生する車速センサ４と、車両の現在位置を測定し、現在位置情報を取得するためのＧＰＳ受信部５と、ＡＭ放送、ＦＭ放送等のラジオ放送番組の電波を受信するラジオ受信部６と、ＳＤメモリカード、ＵＳＢメモリ等の記録媒体が挿入され、当該記録媒体に記録された写真等の静止画像データの読取りを行う読取部７と、車両の後席に配置される表示部８と、表示部８への画像情報の出力を制御する後席制御ユニット９と、ラジオ放送番組等の音声を出力するスピーカ１０と、を備える。
【００１３】
表示部１は、タッチパネル機能を有する液晶ディスプレイ等によって構成される。前席制御ユニット３は、ＣＰＵ１１及び記憶部１２を有し、ＣＰＵ１１は、モード管理部１３と、出力禁止部１４と、データ取得部１５と、データ解析部１６と、再生部１７と、出力制御部１８と、主制御部１９と、を有し、記憶部１２は、地図データのような各種機能に基づく画像データを格納したハードディスク（ＨＤ）やＳＤメモリカードなどの記憶媒体２０と、読取部７が記録媒体から読み取った静止画像データ又は記憶媒体２０に格納されたデータを一時的に記憶するキャッシュメモリ２１と、表示部１に出力される静止画像情報に係る静止画像データ及び各種機能に基づく画像に係る機能画像データを記憶する表示用メモリ２２と、を有する。
【００１４】
モード管理部１３は、表示部１のタッチパネル及び操作部２によって入力された各種の指示を主制御部１９に伝える。出力禁止部１４は、車速センサ４によって取得された車速パルスから導出された車速情報に基づいて、運転者が表示部１に出力された静止画像を注視しないようにするために、当該静止画像を表示部１に出力するのを禁止する指示を主制御部１９に伝える。
【００１５】
データ取得部１５は、主制御部１９からの命令に従って、読取部７が記録媒体から読み取った静止画像データをキャッシュメモリ２１に渡すように指示したり、記憶媒体２０に格納された各種データをキャッシュメモリ２１に渡すように指示したりする。また、記録媒体から読み取った静止画像データが含まれるフォルダ及びファイルのリスト情報を作成し、キャッシュメモリ２１を介してデータ解析部１６へ当該リスト情報を渡すように指示する。
【００１６】
データ解析部１６は、主制御部１９からの命令に従って、キャッシュメモリ２１に記憶された静止画像データ又は各種データの内容（例えば、静止画像データのサイズ等）を解析し、静止画像データの再生方法を設定する。そして、データ取得部１５によって送られたリスト情報の内容及び外部からの設定指示（表示部１のタッチパネル及び操作部２によって入力された設定指示）に基づいて、静止画像データの再生順序を設定する。
【００１７】
再生部１７は、主制御部１９からの命令に従って、データ解析部１６によって設定された再生順序で静止画像データを再生し、再生された静止画像データに係る静止画像情報を表示用メモリ２２に格納する。また、再生部１７は、データ解析部１６によって解析された各種データを再生し、再生された各種データに係る各種情報を表示用メモリ２２に格納する役割も果たす。
【００１８】
出力制御部１８は、主制御部１９からの命令に従って、表示用メモリ２２に格納された静止画像情報又は各種情報を表示部１に出力する。また、出力制御部１８は、主制御部１９からの命令に従って、表示部１への静止画像情報の出力を停止する際に、出力再開時の静止画像情報の番号（表示画像Ｎｏ）及び静止画像情報の再生モード（車両が走行を開始する直前の再生状態）を表示用メモリ２２に記憶させる。さらに、出力制御部１８は、表示部１への静止画像情報の出力を再開する際に、静止画像情報の再生モード（車両が走行を開始する直前の再生状態）及び表示用メモリ２２に記憶された出力再開時の静止画像情報の番号（表示画像Ｎｏ）又はその次の番号（表示画像Ｎｏ＋１）に対応する静止画像情報を、表示メモリ２２から読み出す。
【００１９】
主制御部１９は、モード管理部１３、出力禁止部１４及びデータ解析部１６からの命令、車速センサ４から入力される車速パルスに基づいて導出された車速情報並びにＧＰＳ受信部５から入力される車両の現在位置情報に基づいて、データ取得部１５、データ解析部１６、再生部１７及び出力制御部１８に命令を出し、ラジオ受信部６が受信したラジオ放送番組の音声をスピーカ１０から出力するよう制御する。例えば、主制御部１９は、車速センサ４から入力される車速パルスに基づいて導出された車速情報に基づいて、車両が走行している状態から停止している状態に変化し又は停止している状態から走行している状態に変化（走行状態が変化）したことを判断する。
【００２０】
後席制御ユニット９は、主制御部１９からの指令に基づいて表示部８への画像情報の出力を制御するものであり、ＣＰＵ１１と同様の構成を有するＣＰＵ２４と、記憶部１２と同様の構成を有する記憶部２５と、を有する。また、表示部８は、表示部１と同様の構成を有する。
【００２１】
図２は、複数の静止画像情報の出力形式を設定するための表示部に表示される設定画面の一例を示す図である。この設定画面は前席側の表示部１又は後部座席側の表示部８に表示される。図２に示すデジタルフォトフレーム設定画面Ｆにおいて、ＳＤメモリカードから静止画像データを読み出すことを指示する読込みメディアの項目の「ＳＤ」スイッチ、ＵＳＢメモリから静止画像データを読み出すことを指示する読込みメディアの項目の「ＵＳＢ」スイッチ、記録媒体に記録されたフォルダを参照先フォルダとして指定するか否かを指示する参照フォルダの項目の「指定する」スイッチ、複数の静止画像データを所定の順序又はランダム（無作為）に再生し、表示部へ出力する、すなわち、スライドショー再生を行うことを指示するスライドショーの項目の「する」スイッチ、スライドショー再生を行わないことを指示するスライドショーの項目の「しない」スイッチ、複数の静止画像データを所定の順序で再生することを指示する再生順序の項目の「標準」スイッチ、複数の静止画像データをランダムに再生することを指示する参照フォルダの項目の「ランダム」スイッチ、出力された静止画像情報を次に出力される静止画像情報に切り替える際の切替効果（例えば、フェードイン、フェードアウト、ブラインド、ボックス、ワイプなどの切替表示）及び、スライドショーの項目が「する」に設定されているときに、静止画像情報を継続して出力する出力時間（例えば、３秒間、５秒間、７秒間等）を設定する写真切替設定の項目の「設定する」スイッチ、後部座席側の表示部８に静止画像情報を出力することを指示する後席ディスプレイ接続の項目の「あり」スイッチ、後部座席側の表示部８に静止画像情報を出力しないことを指示する後席ディスプレイ接続の項目の「なし」スイッチ等が表示され、ユーザが各スイッチを指でタッチすることによって当該スイッチに関連する設定が指定される。また、タッチされたスイッチは強調して表示される。
【００２２】
ここで、読み出される静止画像データの指定について説明する。参照フォルダの項目の「指定する」スイッチがタッチされない（指定されない）場合、参照先フォルダが指定されないため、記録媒体に記録された全てのフォルダに格納されている全ての静止画像データが読み出される。例えば、図３に示すように、記録媒体がフォルダＡ，Ｂ，Ｃを有し、フォルダＡが静止画像データａ１，ａ２，ａ３を有し、フォルダＢが静止画像データｂ１，ｂ２を有し、フォルダＣが静止画像データｃ１，ｃ２を有する場合、静止画像データａ１，ａ２，ａ３，ｂ１，ｂ２，ｃ１，ｃ２の全てが読み出される。それに対し、参照フォルダの項目の「指定する」スイッチがタッチされた（指定された）場合、選択したフォルダ（例えば、図３のフォルダＡ，Ｂ）に格納されている静止画像データのみが読み出される。なお、参照先フォルダの選択は、例えば、設定画面Ｆとは別のフォルダ選択画面が表示され、このフォルダ選択画面上に表示されるスイッチを用いて選択される。なお、フォルダが指定された状態で、再度「指定する」スイッチをタッチすると、フォルダ選択画面が表示され、指定フォルダの変更が可能となる。
【００２３】
次に、スライドショー再生における再生順序について説明する。スライドショーの項目の「する」スイッチ及び再生順序の項目の「標準」スイッチがタッチされた（指定された）場合、データ解析部１６は、所定の再生順序、例えば、図４に示すようにａ１，ａ２，ａ３，ｂ１，ｂ２，ｃ１，ｃ２の順番で静止画像データを再生するように再生順序を設定し、再生部１７は、設定された再生順序で静止画像データを再生し、出力制御部１８は、設定された再生順序で、再生された静止画像データに係る静止画像情報を表示部１へ出力する。なお、出力制御部１８が所定の静止画像情報を出力している間に、再生部１７は次に表示される静止画像データを再生する。例えば、出力制御部１８が静止画像情報ａ１を出力している間に、再生部１７は静止画像データａ２を再生する。また、設定された再生順序で、静止画像データａ１，ａ２，ａ３，ｂ１，ｂ２，ｃ１，ｃ２の全ての再生が完了すると、再生順序の一番目の静止画像データである静止画像データａ１に戻り、再度、静止画像データをａ１，ａ２，ａ３，ｂ１，ｂ２，ｃ１，ｃ２の順番で再生を行う。
【００２４】
スライドショーの項目の「する」スイッチ及び再生順序の項目の「ランダム」スイッチがタッチされた（指定された）場合、データ解析部１６は、ランダムな再生順序、例えば、図５に示すようにｂ２，ａ２，ｃ１，ａ１，ｂ１，ａ３，ｃ２の順番で静止画像データを再生するように再生順序を設定し、再生部１７は、設定された再生順序で静止画像データを再生し、出力制御部１８は、設定された再生順序で、再生された静止画像データに係る静止画像情報を表示部１へ出力する。この場合も、出力制御部１８が所定の静止画像情報を出力している間に、再生部１７は次に表示される静止画像データを再生する。例えば、出力制御部１８が静止画像情報ｂ２を出力している間に、再生部１７は静止画像データａ１を再生する。また、静止画像データｂ２，ａ２，ｃ１，ａ１，ｂ１，ａ３，ｃ２の全ての再生が完了すると、データ解析部１６は、ランダムな再生順序、例えば、図５に示すようにａ１，ｃ１，ｂ２，ｂ１，ａ３，ａ２，ｃ２の順番で静止画像データを再生するように再生順序を設定し、設定された再生順序で静止画像データの再生を行う。
【００２５】
次に、通常再生における再生順序について説明する。スライドショーの項目の「しない」スイッチ及び再生順序の項目の「標準」スイッチがタッチされた（指定された）場合、静止画像情報が表示部１に出力されている状態で表示部１の画面内の右側をタッチしたり、操作部２を操作したりすると、次の再生順序で設定されている静止画像情報が出力され、静止画像情報が表示部１に出力されている状態で表示部１の画面内の左側をタッチしたり、操作部２を操作したりすると、前の再生順序で設定されている静止画像情報が出力される。例えば、図４に示すようにａ１，ａ２，ａ３，ｂ１，ｂ２，ｃ１，ｃ２の順に表示順序を設定した場合、静止画像情報ａ２が表示部１に出力されている状態で表示部１の画面内の右側をタッチしたり、操作部２を操作したりすると、静止画像情報ａ３が出力され、静止画像情報ａ２が表示部１に出力されている状態で表示部１の画面内の左側をタッチしたり、操作部２を操作したりすると、静止画像情報ａ１が出力される。
【００２６】
スライドショーの項目の「しない」スイッチ及び再生順序の項目の「ランダム」スイッチがタッチされた（指定された）場合、静止画像情報が表示部１に出力されている状態で表示部１の画面内の右側をタッチしたり、操作部２を操作したりすると、設定された再生順序のうち、現在出力されている静止画像情報の次以降の再生順序で設定されている静止画像データが再生され、静止画像情報が表示部１に出力されている状態で表示部１の画面内の左側をタッチしたり、操作部２を操作したりすると、再生順序の項目の「標準」を指定した際に設定される再生順序の一つ前の順序で設定される静止画像情報データが再生される。例えば、図５に示すようにｂ２，ａ２，ｃ１，ａ１，ｂ１，ａ３，ｃ２の順に表示順序を設定した場合、静止画像情報ａ２が表示部１に出力されている状態で表示部１の画面内の右側をタッチしたり、操作部２を操作したりすると、静止画像データｃ１，ａ１，ｂ１，ａ３，ｃ２のうちのいずれか一つがランダムに再生され、静止画像情報ａ２が表示部１に出力されている状態で表示部１の画面内の左側をタッチしたり、操作部２を操作したりすると、再生順序の項目の「標準」を指定した際に設定される再生順序の一つ前の順序で設定される静止画像データａ１が再生される。なお、画面内の右側および左側をタッチしない場合は、現在出力されている静止画像情報が出力され続ける。
【００２７】
図６は、静止画像情報の出力の一例を示す図である。図６に示されるオーディオ設定画面は各種メディアの設定画面を表示するためのタブ（例えば、ＡＭ、ＦＭ、ＣＤ／ＤＶＤ、ＳＤ、ＴＶ、ＢＴ等の切替ボタン）を有している。タブを選択することによって、選択されたメディアの設定画面を表示する。図６では、ＡＭのタブが選択され、ＡＭ放送設定画面Ａ１が表示されている。このＡＭ放送設定画面Ａ１には、図２に示すデジタルフォトフレーム設定画面Ｆで設定した条件に従って静止画像データを再生し、表示部１と表示部８のうちの少なくとも一方に出力するための「フォト再生」スイッチが、ユーザによる指定可能に表示されている。この「フォト再生」スイッチは、ＡＭ放送、ＦＭ放送、ＣＤ／ＤＶＤ等の音声のみを出力する音声メディアの設定画面に表示される。これにより、逐一、他の画面に切り替えることなく静止画像データを再生する操作を行うことができるため操作性の良い再生装置を提供することが可能となる。そして、車両が走行していない状態（例えば、駐停車状態）において、ユーザが「フォト再生」スイッチをタッチする（指定する）と、静止画像データ（図６に示す例では、静止画像データａ１）の再生が行われ、再生された静止画像データに係る静止画像情報が表示部１に出力される。
【００２８】
図７は、静止画像情報を出力する他の例を示す図である。図７では、車両が走行していない状態（例えば、駐停車状態）において、ユーザが「フォト再生」スイッチをタッチする（指定する）と、静止画像データ（図７に示す例では、静止画像データａ１）の再生が行われ、再生された静止画像データに係る静止画像情報が、各種メディアの設定画面を表示するためのタブとともに表示部１に表示される。これにより、静止画像情報を出力しているときであっても、静止画像情報の出力を停止する操作を行うことなく、他のメディアの設定画面を表示させることができるため操作性の良い再生装置を提供することが可能となる。
【００２９】
図８は、「フォト再生」スイッチの表示の変更の一例を示す図である。図２に示すデジタルフォトフレーム設定画面Ｆにおいて、後席ディスプレイ接続の項目の「なし」スイッチから、後席ディスプレイ接続の項目の「あり」スイッチに切り替わると、ＡＭ放送設定画面Ａ１に示されるようにインジケータＩを有していない「フォト再生」スイッチから、ＡＭ放送設定画面Ａ２に示されるようにインジケータＩを有する「フォト再生」スイッチに切り替わる。インジケータＩは、表示部８に静止画像情報が出力される場合に点灯する。すなわち、インジケータＩは、表示部１及び表示部８に静止画像情報が出力される場合及び表示部８のみに静止画像情報が出力される場合、表示部１のみに静止画像情報が出力される場合には点灯し、表示部１及び表示部８の両方に静止画像情報が出力されない場合には消灯する。
【００３０】
このように、後席ディスプレイ接続の項目の「あり」スイッチが選択されたときに、インジケータＩを有する「フォト再生」スイッチを表示することによって、後席ディスプレイ接続の項目の「あり」スイッチと後席ディスプレイ接続の項目の「なし」スイッチのいずれが選択しているかを、デジタルフォトフレーム設定画面Ｆに画面を切り替えることなく知ることができる。また、インジケータＩの点灯状態を確認することによって、車両が走行している状態であっても、静止画像データが再生されていることを認知することができると共に、表示部８に静止画像情報が出力されていることも認知することが可能となる。
【００３１】
図９は、車両の走行状態に応じたオーディオ設定画面の変更を示す図である。図２に示すデジタルフォトフレーム設定画面Ｆにおいて、後席ディスプレイ接続の項目の「なし」スイッチが選択されている条件において、車両が走行していない状態（例えば、駐停車状態）のときには、例えば、ＡＭ放送設定画面Ａ１に「フォト再生」スイッチが表示されており、この「フォト再生」スイッチをタッチする（指定する）ことによって静止画像情報が表示部１に出力される。そして、車両が走行を開始すると、ＡＭ放送設定画面Ａ３に示されるようにトーンダウンした「フォト再生」スイッチに表示が切り替わり、「フォト再生」スイッチをタッチしても（指定しても）静止画像情報は表示部１に出力されない。ＡＭ放送設定画面Ａ３に示すようにトーンダウンした「フォト再生」スイッチの表示に切り替えることによって、車両が走行している状態（走行状態）のときには静止画像情報を表示部１に出力できないことを視覚的に知ることができる。そして、車両が停止すると、トーンダウンした「フォト再生」スイッチは、車両が走行を開始する前の状態に戻り、「フォト再生」スイッチをタッチする（指定する）ことによって静止画像情報が表示部１に出力される。
【００３２】
図１０は、フォト再生スイッチのインジケータの点灯状態及び消灯状態の一例を説明するための図である。上述したように、表示部１及び表示部８の両方に静止画像情報が出力されない場合、表示部１には、インジケータＩが消灯された「フォト再生」スイッチを表示したオーディオ設定画面が表示され、表示部８には、黒画面が表示される。
【００３３】
そして、インジケータＩが消灯した状態で「フォト再生」スイッチをタッチすると、インジケータＩが点灯し、車両が走行していない状態であれば、表示部１に、静止画像情報が出力され、車両が走行している状態であれば、表示部１に、例えば、ＡＭ放送設定画面のようなオーディオ設定画面が表示される。また、表示部８には、車両が走行していない状態及び車両が走行している状態のいずれの場合であっても静止画像情報が出力される。
【００３４】
一方、インジケータＩが点灯した状態で「フォト再生」スイッチをタッチすると、インジケータＩが消灯し、表示部１には、例えば、ＡＭ放送設定画面のようなオーディオ設定画面が表示され、表示部８には、黒画面が表示される。
【００３５】
なお、表示部１に静止画像情報を出力しないときには、操作部２等の操作に応じて又自動で地図情報等を表示部１に出力する構成であってもよい。また、表示部８に静止画像情報を出力しないときには、表示部８の画面を、黒画面以外の画像情報（例えば、テレビジョンの画像）を出力することもできる。
【００３６】
図１１は、フォト再生スイッチのインジケータの点灯状態及び消灯状態の遷移状態の一例を説明するための図である。この場合、「フォト再生」スイッチは、表示部１での静止画像情報の出力が行われているか否かを示すインジケータＩ１及び表示部８での静止画像情報の出力が行われているか否かを示すＩ２を有する。
【００３７】
インジケータＩ１とインジケータＩ２のいずれも消灯した状態である場合、表示部１には、例えば、ＡＭ放送設定画面のようなオーディオ設定画面が表示され、表示部８には、黒画面が表示される。すなわち、表示部１と表示部８のいずれにも静止画像情報が出力されない。
【００３８】
インジケータＩ１とインジケータＩ２のいずれも消灯した状態において「フォト再生」スイッチをタッチすると、インジケータＩ１のみ点灯する。すなわち、インジケータＩ１は点灯するが、インジケータＩ２は消灯したままであり、表示部１には、車両が走行していない状態であれば静止画像情報が出力され、車両が走行している状態であれば、静止画像情報は出力されず、例えば、ＡＭ放送設定画面のようなオーディオ設定画面が表示され、表示部８には、黒画面が表示される。すなわち、表示部８には静止画像情報が出力されない。
【００３９】
インジケータＩ１は点灯した状態であるがインジケータＩ２は消灯した状態において「フォト再生」スイッチをタッチすると、インジケータＩ２が点灯する。すなわち、インジケータＩ１とインジケータＩ２の両方が点灯した状態となり、表示部１には、車両が走行していない状態であれば静止画像情報が出力され、車両が走行している状態であれば、静止画像情報は出力されず、例えば、ＡＭ放送設定画面のようなオーディオ設定画面が表示され、表示部８には、車両が走行していない状態及び車両が走行している状態のいずれの場合であっても静止画像情報が出力される。
【００４０】
インジケータＩ１とインジケータＩ２の両方が点灯した状態において「フォト再生」スイッチをタッチすると、インジケータＩ１のみ消灯する。すなわち、インジケータＩ１は消灯するが、インジケータＩ２が点灯したままであり、表示部１には、車両の走行状態には関係なく静止画像情報は出力されず、例えば、ＡＭ放送設定画面のようなオーディオ設定画面が表示され、表示部８には、車両が走行していない状態及び車両が走行している状態のいずれの場合であっても静止画像情報が出力される。
【００４１】
インジケータＩ１は消灯した状態であるがインジケータＩ２は点灯した状態において「フォト再生」スイッチをタッチすると、インジケータＩ２が消灯する。すなわち、インジケータＩ１とインジケータＩ２の両方が消灯した状態となり、表示部１には、車両の走行状態には関係なく静止画像情報は出力されず、例えば、ＡＭ放送設定画面のようなオーディオ設定画面が表示され、表示部８には、黒画面が表示される。
【００４２】
なお、表示部１に静止画像情報を出力しないときには、操作部２等の操作に応じて又は自動で地図情報等を表示部１に出力する構成であってもよい。また、表示部８に静止画像情報を出力しないときには、表示部８の画面を、黒画面以外の画像情報（例えば、テレビジョンの画像）を出力することもできる。さらに、テレビジョン放送の映像データのような動画像データに係る動画像情報を表示部１又は表示部８の少なくとも一方に表示する際には、上記で説明した「フォト再生」スイッチと同様に、「動画像再生」スイッチを設け、この「動画像再生」スイッチにインジケータＩ１，Ｉ２を設けることもできる。
【００４３】
図１２及び図１３は、再生装置の処理フローを示す図である。図１２及び図１３に示す処理フローは、主にＣＰＵ３がＲＯＭ（図示せず）に予め記憶されたプログラムに従って再生装置内の各構成要素と協働して各機能が実行される。但し、以下の説明では、ＣＰＵ１１によって実行される各機能は、ＣＰＵ１１に含まれる各構成部が実行するものとして記載する。図１２及び図１３に示す処理フローは、デジタルフォトフレーム設定画面Ｆで、後席ディスプレイ接続の項目の「あり」スイッチが選択された条件の下で、「フォト再生」スイッチがタッチされたときに開始され、「フォト再生」スイッチが再度タッチされるまで繰り返し実行される。なお、デジタルフォトフレーム設定画面Ｆで「なし」スイッチが選択された条件の下でも同様の処理フローが実行される。
【００４４】
先ず、出力禁止部１４は、車両が走行している状態であるか否かを判断する（ステップＳ１）。そして、出力禁止部１４によって、車両が走行している状態であると判断された場合（ステップＳ１のＹｅｓ）、主制御部１９は、車両の走行状態に変化が生じたか否かを検出する（ステップＳ２）。そして、主制御部１９によって、車両が停止している状態（例えば、車両が駐車した状態、車両が停車した状態）から走行している状態に変化していない、すなわち、車両の走行状態に変化が生じていないことが検出された場合（ステップＳ２のＮｏ）、この処理を終了する。
【００４５】
それに対し、主制御部１９によって、車両が停止している状態から走行している状態に変化した、すなわち、車両の走行状態に変化が生じたことが検出された場合（ステップＳ２のＹｅｓ）、出力制御部１８は、主制御部１９からの命令に従って、表示部１への静止画像情報の出力を再開する際にどの画像情報を出力するかを特定するために、出力再開時の静止画像情報の番号（表示画像Ｎｏ）を表示用メモリ２２に記憶させる（ステップＳ３）。ここで、表示用メモリ２２に記憶される静止画像情報の番号の一例として、現在出力されている静止画像情報の番号（表示画像Ｎｏ）である。
【００４６】
次に、出力制御部１８は、主制御部１９からの命令に従って、静止画像情報の再生モード（車両が走行を開始する直前の再生状態）を表示用メモリ２２に記憶させ（ステップＳ４）、出力制御部１８は、表示部１への静止画像情報の出力を停止し（ステップＳ５）、処理を終える。なお、ステップＳ５において、出力制御部１８は、切替効果中に停止を行ったか否かについての情報も表示用メモリ２２に記憶させる。ここで、再生モードは識別情報を有しており、この識別情報は、車両が走行する直前の静止画像情報の再生状態が、通常の画像出力中か、切替効果中かを識別するための情報である。
【００４７】
一方、表示禁止部１４によって、車両が走行している状態ではないと判断された場合（ステップＳ１のＮｏ）、主制御部１９は、車両の走行状態に変化が生じたか否かを検出する（ステップＳ６）。そして、主制御部１９によって、車両が走行している状態から停止している状態に変化していない、すなわち、車両の走行状態に変化が生じていないことが検出された場合（ステップＳ６のＮｏ）、この処理を終了する。
【００４８】
それに対し、主制御部１９によって、車両が走行している状態から停止している状態に変化した、すなわち、車両の走行状態に変化が生じたことが検出された場合（ステップＳ６のＹｅｓ）、出力制御部１８は、主制御部１９からの命令に従って、静止画像情報の再生モード（前回車両が走行を開始した直前の再生状態）を表示用メモリ２２から読み出し（ステップＳ７）、切替効果中に静止画像の出力の停止が行われたか否か判断する（ステップＳ８）。
【００４９】
出力制御部１８によって、切替効果中に静止画像の出力の停止が行われていないと判断された場合（ステップＳ８のＮｏ）、出力制御部１８は、主制御部１９からの命令に従って、表示用メモリ２２に記憶された出力再開時の静止画像情報の番号（表示画像Ｎｏ）を読み出し（ステップＳ９）、この静止画像情報の番号（表示画像Ｎｏ）に対応する静止画像情報を表示部１へ出力し（ステップＳ１０）、この処理を終了する。ここでは、例えば、車両が走行を開始したときに出力されていた静止画像情報の番号（表示画像Ｎｏ）が表示用メモリ２２に記憶された場合、この静止画像情報の番号（表示画像Ｎｏ）に対応する静止画像情報から出力を再開するように構成されている。
【００５０】
それに対し、切替効果中に静止画像の出力の停止を行ったと判断された場合（ステップＳ８のＹｅｓ）、出力制御部１８は、主制御部１９からの命令に従って、表示用メモリ２２に記憶された出力再開時の静止画像情報の番号に基づいて、この静止画像情報の番号の次の番号（表示画像Ｎｏ＋１）を読み出し（ステップＳ１１）、この静止画像情報の番号（表示画像Ｎｏ＋１）に対応する静止画像情報を表示部１へ出力し（ステップＳ１０）、この処理を終了する。ここでは、例えば、車両が走行を開始したときに出力されていた静止画像情報の番号（表示画像Ｎｏ）が表示用メモリ２２に記憶された場合、この静止画像情報の番号（表示画像Ｎｏ）の次の番号に対応する静止画像情報から出力を再開するように構成されている。
【００５１】
図１２及び図１３に示す処理フローによれば、通常の出力状態（所定の表示時間、例えば、７秒間）において静止画像情報の出力が停止された場合、この静止画像情報から出力を再開し、一方、切替効果中の出力状態（所定の切替時間、例えば、２秒間）において静止画像情報の出力が停止された場合、この静止画像情報の次の順番の静止画像情報から出力を再開する。また、静止画像情報の次の順番は、所定の再生順序に基づき特定される。
【００５２】
図１４は、静止画像情報を所定の順序で出力する場合において表示時間中に静止画像情報の出力を停止した場合を説明するための図である。この場合、静止画像情報は、図４に示すようにａ１，ａ２，ａ３，ｂ１，ｂ２，ｃ１，ｃ２の順に表示されるものとする。
【００５３】
例えば、静止画像情報ａ３が表示時間Ｔ（例えば、７秒間）で表示部１に表示されると、切替時間ｔ（例えば、２秒）かけて切替処理が行われた後、所定の再生順序に基づき、次の静止画像情報ｂ１が表示部１に表示される。ここで、切替処理の一例を説明する。切替処理において、静止画像情報ａ３から静止画像情報ｂ１に切り替わる際、切替時間ｔ中は、表示部１において、静止画像情報ａ３はフェードアウトし、フェードアウトした静止画像情報ａ３’から切替画像Ｂ（例えば、黒画像）に切り替わり、その後、切替画像Ｂ（例えば、黒画像）から、フェードインした静止画像情報ｂ１’に切り替わり、そして、静止画像情報ｂ１が表示される。
【００５４】
そして、出力制御部１８は、現在出力されている静止画像情報ｂ１が、表示時間Ｔ経過する前に、静止画像情報の出力を停止する指示を受け付けた場合、例えば、静止画像情報ｂ１が表示時間Ｔより短い時間Ｔ’（例えば、１秒間）で表示部１に表示されたときに、静止画像情報ｂ１の表示部１への表示を停止する指示を受けた場合、表示部１への静止画像情報ｂ１の出力は停止され、表示部１には他の画像情報が出力される。ここで、他の画像情報として、例えば、車両が走行状態にあるような場合は、地図情報Ｍが表示される。そして、出力制御部１８は、静止画像情報ｂ１の出力を開始する指示を受け付けたら、静止画像情報ｂ１を、表示時間Ｔで表示部１に表示する。ここで、静止画像情報の出力を再開したときにおける静止画像情報が出力される時間は、表示時間Ｔに限定されず、表示時間Ｔのうち静止画像情報の出力を停止する前までに出力した時間Ｔ’（例えば、１秒間）を除いた残りの時間Ｔ−Ｔ’（この場合、６秒間）で出力する構成であってもよい。
【００５５】
そして、静止画像情報の出力を再開したら、静止画像情報ｂ１を表示時間Ｔで表示部１に表示し、切替時間ｔ（例えば、２秒）で切替処理が行われた後、所定の再生順序に基づき、次の静止画像情報ｂ２が表示部１に表示時間Ｔで表示される。なお、切替処理において、静止画像情報ｂ１から静止画像情報ｂ２に切り替わる際、切替時間ｔ中は、表示部１において、静止画像情報ｂ１はフェードアウトし、フェードアウトした静止画像情報ｂ１’から切替画像Ｂ（例えば、黒画像）に切り替わり、その後、切替画像Ｂ（例えば、黒画像）から、フェードインした静止画像情報ｂ２’に切り替わり、そして、静止画像情報ｂ２が表示される。また、本実施形態の構成では、切替効果として「フェード」を記載したが、これに限定されることなく「ボックス」や「スライドイン」「ワイプ」等、ユーザの任意で選択して実行することが可能である。
【００５６】
図１５は、静止画像情報をランダムに表示する場合において表示時間中に静止画像情報の出力を停止した場合を説明するための図である。この場合、静止画像情報は、図５に示すようにｂ２，ａ２，ｃ１，ａ１，ｂ１，ａ３，ｃ２の順に表示されるものとする。
【００５７】
例えば、静止画像情報ｃ１が表示時間Ｔ（例えば、７秒間）で表示部１に表示されると、切替時間ｔ（例えば、２秒）かけて切替処理が行われた後、ランダムに設定された再生順序に基づき、次の静止画像情報ａ１が表示部１に表示される。ここで、切替処理の一例を説明する。切替処理において、静止画像情報ｃ１から静止画像情報ａ１に切り替わる際、切替時間ｔ中は、表示部１において、静止画像情報ｃ１はフェードアウトし、フェードアウトした静止画像情報ｃ１’から切替画像Ｂ（例えば、黒画像）に切り替わり、その後、切替画像Ｂ（例えば、黒画像）から、フェードインした静止画像情報ａ１’に切り替わり、そして、静止画像情報ａ１が表示される。
【００５８】
そして、出力制御部１８は、現在出力されている静止画像情報ａ１が、表示時間Ｔ経過する前に、静止画像情報の出力を停止する指示を受け付けた場合、例えば、静止画像情報ａ１が表示時間Ｔより短い時間Ｔ’（例えば、１秒間）で表示部１に表示されたときに、静止画像情報ａ１の表示部１への表示を停止する指示を受けた場合、表示部１への静止画像情報ａ１の出力は停止され、表示部１には他の画像情報が出力される。ここで、他の画像情報として、例えば、車両が走行状態にあるような場合は、地図情報Ｍが表示される。そして、出力制御部１８は、静止画像情報ａ１の出力を開始する指示を受け付けたら、静止画像情報ａ１を、表示時間Ｔで表示部１に表示する。ここで、静止画像情報の出力を再開したときにおける静止画像情報が出力される時間は、表示時間Ｔに限定されず、表示時間Ｔのうち静止画像情報の出力を停止する前までに出力した時間Ｔ’（例えば、１秒間）を除いた残りの時間Ｔ−Ｔ’（この場合、６秒間）で出力する構成であってもよい。
【００５９】
そして、静止画像情報の出力を再開したら、静止画像情報ａ１を表示時間Ｔで表示部１に表示し、切替時間ｔ（例えば、２秒）で切替処理が行われた後、所定の再生順序に基づき、次の静止画像情報ｂ１が表示部１に表示時間Ｔで表示される。なお、切替処理において、静止画像情報ａ１から静止画像情報ｂ１に切り替わる際、切替時間ｔ中は、表示部１において、静止画像情報ａ１はフェードアウトし、フェードアウトした静止画像情報ａ１’から切替画像Ｂ（例えば、黒画像）に切り替わり、その後、切替画像Ｂ（例えば、黒画像）から、フェードインした静止画像情報ｂ１’に切り替わり、そして、静止画像情報ｂ１が表示される。また、本実施形態の構成では、切替効果として「フェード」を記載したが、これに限定されることなく「ボックス」や「スライドイン」「ワイプ」等、ユーザの任意で選択して実行することが可能である。
【００６０】
図１６は、静止画像情報を所定の順序で出力する場合において切替時間中に静止画像情報の出力を停止した場合を説明するための図である。この場合、静止画像情報は、図４に示すようにａ１，ａ２，ａ３，ｂ１，ｂ２，ｃ１，ｃ２の順に表示されるものとする。
【００６１】
例えば、静止画像情報ａ３が表示時間Ｔ（例えば、７秒間）で表示部１に表示されると、切替時間ｔ（例えば、２秒）かけて切替処理が行われた後、所定の再生順序に基づき、次の静止画像情報ｂ１が表示部１に表示される。そして、出力制御部１８は、静止画像情報ａ３から静止画像情報ｂ１への切替処理が実行されているときにおいて、切替時間ｔが経過する前に、静止画像情報の出力を停止する指示を受け付けた場合、例えば、切替時間ｔより短い時間ｔ’（例えば、１秒間）の切替処理が行われたときに、静止画像情報の表示部１への表示を停止する指示を受けた場合、表示部１への静止画像情報の出力は停止され、表示部１には他の画像情報が出力される。ここで、他の画像情報として、例えば、車両が走行状態にあるような場合は、地図情報Ｍが表示される。そして、出力制御部１８は、静止画像情報の出力を開始する指示を受け付けたら、所定の再生順序において静止画像情報ａ３の次の順番に設定されている静止画像情報ｂ１を、表示時間Ｔで表示部１に表示する。ここで、静止画像情報の出力を再開したときの静止画像情報が出力される時間は、表示時間Ｔに限定されず、表示時間Ｔのうち静止画像情報の出力を停止する前までに出力した時間Ｔ’を除いた残りの時間（時間Ｔ−Ｔ’）で出力する構成であってもよい。
【００６２】
図１７は、後席ディスプレイ接続の項目の「あり」スイッチが選択された条件の下で、静止画像情報をランダムに表示する場合において、切替時間中に静止画像情報の出力を停止した場合を説明するための図である。この場合、静止画像情報は、図５に示すようにｂ２，ａ２，ｃ１，ａ１，ｂ１，ａ３，ｃ２の順に表示されるものとする。
【００６３】
例えば、静止画像情報ｃ１が表示時間Ｔ（例えば、７秒間）で表示部１に表示されると、切替時間ｔ（例えば、２秒間）かけて切替処理が行われた後、ランダムで設定された再生順序に基づき、次の静止画像情報ａ１が表示部１に表示される。そして、出力制御部１８は、静止画像情報ｃ１から静止画像情報ａ１への切替処理が実行されているときにおいて、切替時間ｔが経過する前に、静止画像情報の出力を停止する指示を受け付けた場合、例えば、切替時間ｔより短い時間ｔ’（例えば、１秒間）の切替処理が行われたときに、静止画像情報の表示部１への表示を停止する指示を受けた場合、表示部１への静止画像情報の出力は停止され、表示部１には他の画像情報が出力される。ここで、他の画像情報として、例えば、車両が走行状態にあるような場合は、地図情報Ｍが表示される。そして、出力制御部１８は、静止画像情報の出力を開始する指示を受け付けたら、ランダムでの再生順序において静止画像情報ｃ１の次の順番に設定されている静止画像情報ａ１を、表示時間Ｔで表示部１に表示する。ここで、静止画像情報の出力を再開したときの静止画像情報が出力される時間は、表示時間Ｔに限定されず、表示時間Ｔのうち静止画像情報の出力を停止する前までに出力した時間Ｔ’を除いた残りの時間（時間Ｔ−Ｔ’）で出力する構成であってもよい。
【００６４】
図１４〜１７で説明する例において、静止画像情報の出力がフェードアウトして切替画像に切り替わり、切替画像から次の静止画像情報の出力にフェードインすることによって静止画像情報の切替を行う場合について説明したが、静止画像データの切替を他の方法によって行うこともでき、例えば、切替効果を有しない切替表示を行うように、静止画像情報をそのまま切替画像に切り替え、切替画像から次の静止画像情報にそのまま切り替えることによって静止画像情報の切替を行うこともできる。
【００６５】
上述したように、現在出力されている静止画像情報が、所定の条件によって出力が停止された後、当該出力が再開されたら、当該出力の停止の直前に出力されていた静止画像情報から再度出力を開始するため、ユーザにとって使いやすい再生装置を提供することが可能となった。また、複数の静止画像情報を所定時間毎に切り替えて出力する再生装置において、静止画像情報の切替処理の最中に、静止画像情報の出力が停止された場合には、当該出力が開始されたとき、当該出力の停止の直前に出力されていた静止画像情報の次に出力される順番に設定されている静止画像情報から出力を再開するため、より一層ユーザにとって使いやすい再生装置を提供することが可能となった。
【符号の説明】
【００６６】
１，８    表示部
２    操作部
３    前席制御ユニット
４    車速センサ
５    ＧＰＳ受信部
６    ラジオ受信部
７    読取部
９    後席制御ユニット
１０    スピーカ
１１，２３    ＣＰＵ
１２，２４    記憶部
１３    モード管理部
１４    出力禁止部
１５    データ取得部
１６    データ解析部
１７    再生部
１８    出力制御部
１９    主制御部
２０    記憶媒体
２１    キャッシュメモリ
２２    表示用メモリ
【図１】
2012235271.tif 000003
【図２】
2012235271.tif 000004
【図３】
2012235271.tif 000005
【図４】
2012235271.tif 000006
【図５】
2012235271.tif 000007
【図６】
2012235271.tif 000008
【図７】
2012235271.tif 000009
【図８】
2012235271.tif 000010
【図９】
2012235271.tif 000011
【図１０】
2012235271.tif 000012
【図１１】
2012235271.tif 000013
【図１２】
2012235271.tif 000014
【図１３】
2012235271.tif 000015
【図１４】
2012235271.tif 000016
【図１５】
2012235271.tif 000017
【図１６】
2012235271.tif 000018
【図１７】
2012235271.tif 000019